(57)【要約】【課題】照明器具の大きさを大きくすることなく、ランプが発する熱および赤外線の影響を少なくする。【解決手段】ランプ２００に隣接して本体１１０に配置される少なくとも２つの人感センサ１４０ｃ，１４０ｄを備え、一方の人感センサ１４０ｃは、ランプ２００の長手方向の中央部Ｐ０と、ランプ２００の一端部Ｐ４ｃとの間の位置に配置され、他方の人感センサ１４０ｄは、ランプ２００の中央部Ｐ０と、ランプ２００の他端部Ｐ２ｄとの間の位置に配置される。【選択図】図４
2015109186.tif 000002
【特許請求の範囲】
【請求項１】
直管ランプを取り付ける器具本体を備えた照明器具において、
前記直管ランプに隣接して前記器具本体に配置される少なくとも２つの人感センサを備え、
前記２つの人感センサのうち一方の人感センサは、
前記直管ランプの長手方向の中央部と、前記直管ランプの両端部のうちの一端部との間の位置に配置され、
前記２つの人感センサのうち他方の人感センサは、
前記直管ランプの前記中央部と、前記直管ランプの両端部のうちの他端部との間の位置に配置される
ことを特徴とする照明器具。
【請求項２】
前記器具本体は、
前記直管ランプを２本並列に取り付け、
前記２つの人感センサは、
２本の前記直管ランプの間の前記器具本体の位置に配置されることを特徴とする請求項１に記載の照明器具。
【請求項３】
前記一方の人感センサは、
前記中央部と前記一端部との中心位置を基準として、その中心位置から、前記中央部と前記一端部との距離の４分の１の範囲に配置される
ことを特徴とする請求項２に記載の照明器具。
【請求項４】
前記器具本体に取り付けられた２本の前記直管ランプのうち少なくとも一方の直管ランプは、蛍光灯であることを特徴とする請求項２または３に記載の照明器具。
【請求項５】
前記器具本体に取り付けられた２本の前記直管ランプのうちの他方の直管ランプは、ＬＥＤランプであることを特徴とする請求項４に記載の照明器具。
【請求項６】
前記器具本体に取り付けられた２本の前記直管ランプは、ＬＥＤランプであることを特徴とする請求項２または３に記載の照明器具。
【発明の詳細な説明】
【技術分野】
【０００１】
本発明は、人感センサを備えた照明器具に関するものであり、特に、直管ランプを取り付ける照明器具に関する。
【背景技術】
【０００２】
２つの人感センサをランプ両端部の外側近傍にそれぞれ配置し、それぞれの人感センサにおける人の検知に対応して照明器具の点灯状態を制御する技術がある（例えば、特許文献１参照）。
【先行技術文献】
【特許文献】
【０００３】
【特許文献１】特開平９−３０４５４８号公報（段落「００２４」〜段落「００２７」、図９）
【発明の概要】
【発明が解決しようとする課題】
【０００４】
しかしながら、直管ランプの両端部外側にそれぞれ人感センサを備えると、照明器具の長さが長くなるという課題があった。
また、直管ランプの両端部近傍にそれぞれ人感センサを備えると、直管ランプ（蛍光灯）のフィラメントの熱および赤外線の影響により、人感センサが人を検知する感度が落ちる場合があるという課題があった。
【０００５】
本発明は、照明器具の大きさを大きくすることなく、ランプが発する熱および赤外線の影響を少なくすることを目的とする。
【課題を解決するための手段】
【０００６】
本発明に係る照明器具は、直管ランプを取り付ける器具本体を備えた照明器具において、前記直管ランプに隣接して前記器具本体に配置される少なくとも２つの人感センサを備え、前記２つの人感センサのうち一方の人感センサは、前記直管ランプの長手方向の中央部と、前記直管ランプの両端部のうちの一端部との間の位置に配置され、前記２つの人感センサのうち他方の人感センサは、前記直管ランプの前記中央部と、前記直管ランプの両端部のうちの他端部との間の位置に配置されることを特徴とする。
【発明の効果】
【０００７】
本発明によれば、２つの人感センサは、直管ランプに隣接して配置されるとともに、一方の人感センサは、直管ランプの中央部と一端部との間の位置に配置され、他方の人感センサは、直管ランプの中央部と他端部との間の位置に配置されるので、照明器具の大きさを大きくすることなく、直管ランプが発する熱および赤外線の影響を少なくすることができる。
【図面の簡単な説明】
【０００８】
【図１】実施の形態１に係る照明装置１０００の斜視図である。
【図２】実施の形態１に係る照明装置１０００の分解斜視図である。
【図３】実施の形態１に係る照明器具１００の被取付板１１１に取り付けられる人感センサ１４０を示す斜視図である。
【図４】実施の形態１に係る照明装置１０００における人感センサ１４０ｃ，１４０ｄの配置を説明するための模式図である。
【図５】実施の形態２に係る照明装置１０００ａを分解した状態を示す分解斜視図である。
【発明を実施するための形態】
【０００９】
以下の実施の形態について、図を用いて説明する。なお、以下の実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１０】
実施の形態１．
図１は、本実施の形態に係る照明装置１０００の斜視図である。
図２は、本実施の形態に係る照明装置１０００の分解斜視図である。
【００１１】
図１に示すように、照明装置１０００は、照明器具１００と、この照明器具１００に取り付けられる２本の直管状のランプ２００（直管ランプ）とを備える。上側のランプ２００をランプ２００ａ、下側のランプ２００をランプ２００ｂと呼ぶ場合もある。
【００１２】
図２に示すように、照明器具１００は、本体１１０（器具本体）と、カバー１５０とを備える。
本体１１０は、長尺状であり、例えば、一面が開口した長方形状の箱体となっている。本体１１０が天井面や壁面などの取付面に取り付けられる際に、取付面と当接する部分を被取付板１１１とする。
【００１３】
本体１１０には、点灯装置１２０、二対のランプソケット１３０（１３０ａ，１３０ｂ）、２つの人感センサ１４０（１４０ｃ，１４０ｄ）、電源端子台１６０が取り付けられている。また、被取付板１１１には、本体１１０を取付面に取り付けるための取付穴１７０、電源（図示せず）と電源端子台１６０とを接続する電線などを貫通させる電源穴１７１が形成される。
【００１４】
点灯装置１２０は、本体１１０の内部に取り付けられる。この点灯装置１２０は、２つの人感センサ１４０ｃ，１４０ｄうちの少なくともいずれかが人を検知したときに、一定期間、ランプ２００を点灯、または、調光させる機能を有する。
電源端子台１６０は、電源（図示せず）から入力した電力を点灯装置１２０に供給する。
【００１５】
ランプソケット１３０は、本体１１０の両端部にそれぞれに２つずつ設置される。上側の一対のランプソケット１３０をランプソケット１３０ａ、下側の一対のランプソケット１３０をランプソケット１３０ｂと呼ぶ場合もある。ランプソケット１３０には、ランプ２００が着脱自在に取り付けられる。ランプソケット１３０ａにはランプ２００ａが着脱自在に取り付けられ、ランプソケット１３０ｂにはランプ２００ｂが着脱自在に取り付けられる。
【００１６】
人感センサ１４０は、ランプソケット１３０に取り付けられる２本のランプ２００の間の位置の被取付板１１１に２つ取り付けられる（図１参照）。人感センサ１４０は、ランプ２００に隣接して取り付けられる（図１参照）。
人感センサ１４０は、赤外線（人体が発する赤外線を含む）を検出し、検出する赤外線の移動を検知するときに、人がいる（人の「在」）と判断する。
人感センサ１４０を２本のランプ２００ａ，２００ｂの間にランプ２００に隣接するように配置することにより、照明器具１００の大きさを大きくすることなく、人感センサ１４０を取り付けていない照明器具とほぼ同じ外形とすることができる。
【００１７】
カバー１５０は、被取付板１１１を覆い、本体１１０に取り付けられる。
カバー１５０は、本体１１０の開口部分を蓋をするように塞ぐ、長尺状の板材である。カバー１５０は、本体１１０に取り付けられた人感センサ１４０を露出させる人感センサ取付開口部１５１と、同じく本体１１０に取り付けられたランプソケット１３０を露出させるランプソケット取付開口部１５２とを有する。
また、カバー１５０の側面には、取付ネジ１５３を用いてカバー１５０を本体１１０に取り付けるためのネジ用穴１５４が設けられる。
【００１８】
２本の直管状のランプ２００は、例えば蛍光ランプである。あるいは、上側のランプ２００ａは直管ＬＥＤランプとし、下側のランプ２００ｂは蛍光ランプとしてもよい。あるいは、両方とも蛍光ランプでもよいし、両方とも直管ＬＥＤランプでもよい。
例えば、下側のランプ２００ｂを蛍光灯とすることにより、足下を照らす照明を兼ねることができる。
【００１９】
図３は、本実施の形態に係る照明器具１００の被取付板１１１に取り付けられる人感センサ１４０を示す斜視図である。
図３に示すように、人感センサ１４０は、センサ台部１４１、受光部１４２を備える。
センサ台部１４１は、本体１１０の被取付板１１１から突き出すように形成された板材であり、光の照射方向側に台上面部１４３を備える。台上面部１４３には、受光部１４２が設置されている。
【００２０】
受光部１４２は、熱および赤外線を検知することにより人の在／不在を検知する。受光部１４２は、台上面部１４３から、さらに突き出すように設置される。
受光部１４２は、照明器具１００にランプ２００が装着された場合に、ランプ２００よりもさらに光の照射方向側に突出するように配置されることが望ましい。ただし、受光部１４２がランプ２００と同一面上となるように配置されていても構わない。
【００２１】
空間部１４４は、台上面部１４３と被取付板１１１との間に生じるスペースである。
図２及び図３に示すように、空間部１４４には、点灯装置１２０の一部が挿入される。このように、空間部１４４に点灯装置１２０の一部を挿入しつつ、人感センサ１４０を被取付板１１１に配置することによって、本体１１０が大きくなってしまうのを防ぐことができる。
【００２２】
次に、本実施の形態に係る照明器具１００における人感センサ１４０ｃ，１４０ｄの配置について説明する。
図４は、本実施の形態に係る照明装置１０００における人感センサ１４０ｃ，１４０ｄの配置を説明するための模式図である。
【００２３】
ランプ２００は、特に蛍光灯の場合、両端にフィラメントがあり、このフィラメントの加熱によって熱および赤外線が発生する。そのため、２つの人感センサ１４０ｃ，１４０ｄを、２本のランプ２００ａ，２００ｂの間、かつ、ランプ２００の両端（Ｐ４ｃ点、Ｐ４ｄ点）に配置した場合（図４（ａ）の場合）、ランプ２００が発する熱及び赤外線の影響を受けて、人が発する赤外線を検出し難くなる。このような場合、例えば、ランプ２００が発する熱及び赤外線によって、人感センサ１４０が検知する検知範囲を超え、人感センサ１４０が飽和状態となって人の検知ができなくなる場合がある。また、ランプ２００が発する赤外線の量が変動すると、人感センサ１４０が誤動作して、ランプ２００を点灯させ続けてしまったりすることがある。
【００２４】
しかしながら、図４（ｂ）に示すように、ランプ２００の両端からＰ０点（ランプ２００の中央部）寄りに離れた位置に人感センサ１４０を配置することによって、ランプ２００が発する熱および赤外線の影響が少なくなる。
【００２５】
図４に示すように、照明器具１００の長手方向の長さの中央部をＰ０、人感センサ１４０ｃ（一方の人感センサ）側の端部位置（一端部）をＰ４ｃ、人感センサ１４０ｄ（他方の端部）側の端部位置（他端部）をＰ４ｄとする。また、Ｐ０とＰ４ｃ，Ｐ４ｄとの中心位置をそれぞれＰ２ｃ，Ｐ２ｄとする。また、Ｐ２ｃとＰ４ｃとの中心位置、Ｐ２ｄとＰ４ｄとの中心位置を、それぞれＰ３ｃ，Ｐ３ｄとする。さらに、Ｐ０とＰ２ｃとの中心位置、Ｐ０とＰ２ｄとの中心位置を、それぞれＰ１ｃ，Ｐ１ｄとする。
すなわち、Ｐ３ｃ，Ｐ２ｃ，Ｐ１ｃ，Ｐ０，Ｐ１ｄ，Ｐ２ｄ，Ｐ３ｄは、Ｐ４ｃ〜Ｐ４ｄを、約８等分している。
【００２６】
図４（ｂ）では、人感センサ１４０ｃ，１４０ｄを、それぞれ、照明器具１００の中央部Ｐ０と端部位置Ｐ４ｃ，Ｐ４ｄとの中心位置Ｐ２ｃ，Ｐ２ｄに配置している。
例えば、人感センサ１４０ｃ，１４０ｄを、それぞれＰ３ｃ，Ｐ３ｄに配置してもよい。この場合、人感センサ１４０ｃ，１４０ｄが、ランプ２００の端部寄りとなる。よって、人感センサ１４０ｃ，１４０ｄを、それぞれ、Ｐ３ｃとＰ２ｃとの間、Ｐ３ｄとＰ２ｄとの間に配置することがより望ましい。
【００２７】
例えば、人感センサ１４０ｃ，１４０ｄを、それぞれＰ１ｃ，Ｐ１ｄに配置してもよい。この場合、人感センサ１４０ｃ，１４０ｄがランプ２００の中央部Ｐ０寄りとなる。よって、人感センサ１４０ｃ，１４０ｄを、それぞれ、Ｐ１ｃとＰ２ｃとの間、Ｐ１ｄとＰ２ｄとの間に配置することがより望ましい。
【００２８】
例えば、人感センサ１４０ｃ，１４０ｄを、それぞれ、Ｐ１ｃとＰ３ｃとの間、Ｐ１ｄとＰ３ｄとの間に配置することが望ましい。つまり、人感センサ１４０ｃを、Ｐ２ｃを基準として、Ｐ０とＰ４ｃとの距離の４分の１の範囲（Ｐ１ｃとＰ３ｃとの間）に配置し、人感センサ１４０ｄを、Ｐ２ｄを基準として、Ｐ０とＰ４ｄとの距離の４分の１の範囲（Ｐ１ｄとＰ３ｄとの間）に配置することが好ましい。
【００２９】
このように、ランプ２００の中央部Ｐ０を境に両端方向にそれぞれ人感センサ１４０を配置することによって、例えば、階段の踊り場などに照明装置１０００が設置された場合、階段の昇り側または降り側のいずれも人を検出することができる。
【００３０】
上述の人感センサ１４０ｃ，１４０ｄの配置方法は、照明器具１００の中央位置Ｐ０に対して対称な位置に配置するものであったが、必ずしも対称でなくても構わない。
例えば、人感センサ１４０ｃをＰ３ｃ近傍に配置し、人感センサ１４０ｄをＰ２ｄ近傍に配置してもよい。あるいは、人感センサ１４０ｃをＰ１ｃ近傍に配置し、人感センサ１４０ｄをＰ３ｄ近傍に配置してもよい。あるいは、これらの逆でもよい。
このように、中央位置Ｐ０に対して非対称に人感センサ１４０ｃ，１４０ｄを配置することにより、昇り側の階段と降り側とで幅が異なる階段に対しても対応することができる。
【００３１】
以上のように、本実施の形態に係る照明器具１００によれば、２つの人感センサが２本のランプ間で、かつ、直線状のランプの長手方向中央を境にそれぞれの位置に配置されるので、照明器具の大きさを大きくする必要がない。
また、人感センサ１４０の台上面部１４３と、本体１１０の被取付板１１１との間に空間部１４４を有し、空間部１４４に点灯装置１２０を挿入することができるので、照明器具の大きさを大きくする必要がない。
また、２つの人感センサは、ランプの端部よりも中央寄りに配置されるので、ランプ（蛍光灯）のフィラメントの熱および赤外線の影響により、人感センサが人を検知する感度が落ちることがない。
【００３２】
実施の形態２．
本実施の形態では、実施の形態１に示す照明装置１０００を非常灯に応用する場合について説明する。
本実施の形態において、実施の形態１と同様の構成部については同一の符号を付し、その説明を省略する場合がある。
【００３３】
図５は、本実施の形態に係る照明装置１０００ａを分解した状態を示す分解斜視図である。
本実施の形態における照明装置１０００ａの構成は、実施の形態１における照明装置１０００に、非常用のバッテリ３００を搭載したものである。また、実施の形態１で説明した点灯装置１２０は、非常用の機能も兼ねた点灯装置１２０ａとなる。
非常用の照明装置１０００ａの点灯装置１２０ａは、通常時、バッテリ３００を充電するとともに、人感センサ１４０が人を検知するとランプ２００を所定期間、点灯または調光させる。
なお、点灯装置１２０ａではなく、実施の形態１で説明した点灯装置１２０とは別に、非常用のコントロールユニットを配置してもよい。
【００３４】
停電などの非常時には、点灯装置１２０ａは、バッテリ３００の電力によって、ランプ２００を所定の明るさで点灯する。このとき、ランプ２００の明るさは、通常時の明るさよりも暗くてもかまわないが、建築基準法で定められる床面照度（１ｌｘまたは２ｌｘ）を確保できる明るさである。
【００３５】
このように、実施の形態１の照明装置１０００を非常用の照明装置１０００ａに応用しても、実施の形態１と同様の効果を得ることができる。
【００３６】
なお、本実施の形態に用いる非常用の照明装置１０００ａにおいて、２本のランプ２００のうち、一方に蛍光灯、他方にＬＥＤを用いてもよい。この場合、通常時は、人感センサ１４０が人検知の状態に応じてＬＥＤを点灯または、調光、消灯させる制御をし、停電などの非常時は、バッテリ３００の電力によって、蛍光灯を点灯させる制御をする。また、停電などの非常時においては、人感センサ１４０が人を検知したときは、蛍光灯の明るさを明るくし、人感センサ１４０が人を検知しないときは、蛍光灯の明るさを暗くして、蛍光灯の消費電力を抑え、バッテリ３００による点灯時間が長くなるようにしてもよい。
【００３７】
以上、本発明の実施の形態について説明したが、これらの実施の形態の２つを組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００３８】
１００  照明器具、１１０  本体、１１１  被取付板、１２０，１２０ａ  点灯装置、１３０，１３０ａ，１３０ｂ  ランプソケット、１４０，１４０ｃ，１４０ｄ  人感センサ、１４１  センサ台部、１４２  受光部、１４３  台上面部、１４４  空間部、１５０  カバー、１５１  人感センサ取付開口部、１５２  ランプソケット取付開口部、１５３  取付ネジ、１５４  ネジ用穴、１６０  電源端子台、１７０  取付穴、１７１  電源穴、２００，２００ａ，２００ｂ  ランプ、３００  バッテリ、１０００，１０００ａ  照明装置。
【図１】
2015109186.tif 000003
【図２】
2015109186.tif 000004
【図３】
2015109186.tif 000005
【図４】
2015109186.tif 000006
【図５】
2015109186.tif 000007